(57)【要約】【課題】  電気とは何か。磁気とは何か。どうして核子数と電子数が偶数の場合、磁力は０になるか。電束密度は小さく磁束密度は大きい。それなのに起電力は大きく、起磁力は小さい。これはどうしてか。抵抗とは何か。【解決手段】  これらの課題は、ラブと周囲の光子たちの回転と、それに垂直内側にクロス回転する光子たちによって解決できる。電気とはラブの周囲を回転する光子たちのことであり、磁気とはクロス回転する光子たちのことである。ラブが偶数の場合、向き合う光子団は反対方向に回転する。ラブの周囲の光子たちの軌道の引力は大きいので、放出し難い。それで電束密度は小さい。しかしエネルギーは大きいので起電力は大きい。クロス回転する光子たちの軌道の引力は小さいので磁束密度は大きく、エネルギーは小さいので起磁力は小さい。抵抗とはラブの回転方向に垂直にクロス回転する光子たちによってできる。【選択図】  図１３
2004166496.tif 000002
【特許請求の範囲】
【請求項１】
光子には２種類有る。１つは電気の光子であり、１つは磁気の光子である。
【請求項２】
電気の発生原理。電気はラブ及び周囲の光子たちが回転することによってできる。光子はラブの軌道（＝原子の軌道）を回転し、電気となっている。この光子を電気の光子と名づける。ラブの周囲を回転する光子＝電気の光子である。電気の光子の軌道は原子の軌道である。原子の軌道のエネルギーは電気エネルギーである。
電気エネルギー＝０．７５×１０−２５Ｊ÷軌道  である。
【請求項３】
磁気の発生原理。磁気は光子がクロス回転することによってできる。クロス回転とは光子たちがラブの回転の垂直方向内側に入り込み回転することである。光子はクロス回転し、磁気となっている。この光子を磁気の光子と名づける。クロス回転する光子＝磁気の光子である。磁気の光子の軌道は光子の軌道である。光子の軌道エネルギーは磁気エネルギーである。
磁気エネルギー＝１．１×１０−４１Ｊ÷軌道  である。
【請求項４】
核子が偶数の場合、電子が偶数の場合、磁気エネルギーが０になる原理。
磁気エネルギーはクロス回転する光子たちである。光子たちを光子団と名づける。偶数の場合、向き合う光子団は反対方向に向かって回転する。それで、磁力の方向が逆となり、磁力量は同じであるから、磁力は相殺する。それで、磁力は０になる。
【請求項５】
電子が流れるとき電気（光子）を発生する原理。
電子のラブは回転し光子を作っている。その光子が次第に外側に移動する。電子が進む時、最も外側の光子は排斥され放出する。この放出した光子が電気である。
【請求項６】
電界と磁界の発生原理。
電界はラブの周囲の光子が排斥し放出した光子である。
磁界はクロス回転する光子が排斥し放出した光子である。
【請求項７】
電界と磁界の進む方向の原理。
電界の進む方向はラブの回転する方向である。
磁界の進む方向はクロス回転する方向である。
クロス回転はラブの回転に垂直である。
従って、磁界は電界に垂直の方向に進む。。
【請求項８】
電界と磁界の進み方の原理。
電界の進み方は電気の光子の進み方である。磁界の進み方は磁気の光子の進み方である。光子は一定の空間にいるときは円を描いて回転している。しかし、回転しながら進む場合、まず半回転して進む。次の半回転は進む方向に半回転する。
それで、半円を描きながら進む。
電気の光子はラブの周囲から放出した軌道で半回転しながら進む。磁気の光子はクロス回転から放出した軌道で半回転しながら進む。
もし、電気の光子の半回転が磁気の光子の半回転と同じ大きさならば、放出した軌道の大きさは同じ大きさである。
【請求項９】
電束密度と磁束密度の原理。
電束密度とはラブの周囲の光子がどれ位放出するかである。
磁束密度とはクロス回転する光子がどれ位放出するかである。
【請求項１０】
電束密度と磁束密度が異なる原理。
電気の光子であるラブの周囲の光子は、電子のラブの引力により強く引かれるので、容易に放出しない。それで、電束密度は小さい。
磁気の光子であるクロス回転する光子は電子のラブから離れているので、引力は小さい。それで、容易に放出する。
電気の光子は原子の軌道を回転しているので、
電気の光子の引力＝１０．４×１０−５３Ｎ×ｎ÷軌道  である。（ｎは核子数である。）
磁気の光子は光子の軌道を回転しているので、
磁気の光子の引力＝１．５２５×１０−６８Ｎ÷軌道  である。
電気の光子の軌道と、磁気の光子の軌道の大きさは等しいから、電気の光子の引力は磁気の光子の引力の約６．８２×１０１５倍である。
電気の光子は引力が大きいので離れにくい。それで、電束密度は小さい。
磁気の光子は引力が小さいので離れやすい。それで、磁束密度は大きい。
【請求項１１】
電束密度及び磁束密度と軌道引力の関係（原理）。
光子の放出は光子の軌道の１／引力１／２である。
電束密度及び磁束密度は、光子の放出する軌道の１／引力１／２に比例する。
電気の光子の軌道の引力：磁気の光子の軌道の引力＝６．８２×１０１５：１である。
電束密度：磁束密度＝１／（６．８２×１０１５）１／２：１＝１：８．２５×１０７この値は
電束密度：磁束密度＝１：７．９６×１０７の値にやや等しい。
【請求項１２】
核子から放出する電束密度と磁束密度。
核子のラブの軌道を０．５×１０−１５ｍとし、電子のラブの軌道を０．５×１０−１１ｍとする。
核子のラブの軌道の引力：電子の軌道の引力＝１０４：１
それで、核子の電束密度：電子の電束密度＝１／１０４×１／２：１＝１：１０２
核子の電束密度は電子の電束密度の１００分の１である。
それで、核子のラブからは光子がなかなか放出しない。
核子のクロス回転する光子（＝磁気の光子）の軌道も０．５×１０−１５ｍで、電子のクロス回転する光子の軌道も０．５×１０−１１ｍとする。
核子のクロス回転する光子の軌道の引力：電子のクロス回転する光子の軌道の引力＝１０４：１
それで、核子の磁束密度：電子の磁束密度＝１／１０４×１／２：１＝１：１０２
核子の磁束密度は電子の磁束密度の１００分の１である。
核子の電束密度を０．０１とすると、電子の電束密度は１で、核子の磁束密度は７．９６×１０５で、電子の磁束密度は７．９６×１０７である。
【請求項１３】
電界／磁界＝起電力／起磁力＝（電束密度×電気の光子１個の軌道エネルギー）÷（磁束密度×磁気の光子１個の軌道エネルギー）である。
起電力とは電界密度×電気の光子１個の軌道エネルギーである。
起磁力とは磁束密度×磁気の光子１個の軌道エネルギーである。
それで、電界／磁界＝起電力／起磁力＝（電束密度×電気の光子１個の軌道エネルギー）÷（磁束密度×磁気の光子１個の軌道エネルギー）＝（電束密度×０．７５×１０−２５Ｊ÷軌道）÷（磁束密度×１．１×１０−４１Ｊ÷軌道）＝電束密度÷磁束密度×６．８２×１０１５＝４π／１０９×６．８２×１０１５＝８．５７×１０７
電界／磁界＝起電力／起磁力＝１０９／４π＝７．９６×１０７
７．９６×１０７と８．５７×１０７の値はやや等しい。
【請求項１４】
抵抗とは何か。抵抗の原理。
抵抗は何であるか。
抵抗は電子の中のラブの回転が進行方向に回転しながら進むとき、クロス回転は進行方向に垂直に回転しながら進む。それで、クロス回転は進行を阻止する力となる。
これを拡大すると、
抵抗は電気の光子が縦波として進むとき、磁気の光子が横波に進むので、方向が違うためにおきる、縦に進む力を阻止する横の力である。
これを式で説明する。
抵抗は起電力／起磁力×４πである。
Ω＝起電力÷起磁力×４π＝（電束密度×電気の光子１個のエネルギー）÷（磁束密度×磁気の光子１個のエネルギー）×４π＝（電気の光子の数×電気の光子１個のエネルギー）÷（磁気の光子の数×磁気の光子１個のエネルギー）×４π＝（電気の光子の数×２π×電気の光子１個のエネルギー）÷（磁気の光子の数×２π×磁気の光子１個のエネルギー）＝（電気の光子の回転数×電気の光子１個のエネルギー）÷（磁気の光子の回転数×磁気の光子１個のエネルギー）＝電気の光子たちの回転エネルギー÷磁気の光子たちの回転エネルギー
この計算で４π＝２π×２の意味する事は（電気の光子の数×２π）と（磁気の光子の数×２π）のことである。２π×２は２πを２つ使うということである。
抵抗とはラブ周囲の光子たち（＝電気の光子たち）の回転エネルギーに対するクロス回転する光子たち（＝磁気の光子たち）の回転エネルギーである。
抵抗とは電気の光子たちの回転エネルギーに対する磁気の光子たちの回転エネルギーである。
これは電気の光子が縦回転であると、磁気の光子は横回転であり、方向が違うため、電子が進むとき、電気の光子の回転方向に進むので、横回転は邪魔になる。
横回転は縦に進む力を阻止する力となる。
抵抗とは磁気の光子の回転である。
抵抗とはラブの回転に垂直にクロス回転する光子たちによってできる。
【発明の詳細な説明】
【発明の詳細な説明】
【技術分野】
【０００１】  この発明は電気、磁気、電界、磁界、電束密度、磁束密度、起電力、起磁力、抵抗に関する。
【背景技術】
【０００２】１、光子には２種類有るがそれがどこでできたものであるか理解されていない。
２、電気の発生の原理、は唯電子が進むことによってできると考えられている。そのメカニズムは詳細に理解されていない。
３、磁気の発生の原理については理解されていない。
４、原子の核子が偶数の場合、電子が偶数の場合、磁気エネルギーが０になる理由について、電子には右回転と左回転のものが有ると考えられている。
本発明者は電子はどれも同じであると考える。
５、電子が流れるとき、発生する電気はどのようにできるのか理解されていない。
６、磁界と電界はどうしてできるのか。２種類の性質の異なる光子がどうして発生するのか理解されていない。
７、電界と磁界の進む方向が垂直である理由は理解されていない。
８、電界と磁界の進み方はどのようになっているかの詳細については理解されていない。
９、電束密度が小さく、磁束密度が大きい。７．９６×１０７倍である理由は理解されていない。
１０、電束密度と磁束密度が異なる詳細な理由は理解されていない。
１１、電束密度と磁束密度と引力の関係は理解されていない。
１２、核子から放出する電束密度と磁束密度が少ない理由は理解されていない。
１３、起電力と起磁力はどのようにできるかについては理解されていない。
１４、抵抗とは何であるかについては理解されていない。
【本発明が解決しようとする課題】
【０００３】１  光子の種類。
２  電気の発生原理。
３  磁気の発生原理。
４  核子の数が偶数の場合、電子の数が偶数の場合磁力が０になる理由。
５  電子が流れるとき電気が発生する原理。
６  電界と磁界の発生原理。
７  電界と磁界の進む方向の原理。
８  電界と磁界の進み方の原理。
９  電束密度と磁束密度の原理。
１０  電束密度と磁束密度が異なる原理。
１１  電束密度と磁束密度と軌道引力の関係（原理）。
１２  核子から放出する電束密度と磁束密度。
１３  起電力、起磁力はどういうことか。起電力、起磁力の原理。
１４  抵抗とは何か。抵抗の原理。
【課題を解決するための手段】
【０００４】光子には２種類有る。１つはラブの周囲を回転する光子であり、電気の光子である。１つはクロス回転する光子であり、磁気の光子である。電気と磁気の始まりはこれである。この光子が排斥し放出し、電気となり磁気となる。電気の光子はラブの周囲の光子で、原子の軌道である。それで、エネルギーは大きい。
クロス回転する光子は光子の軌道であり、エネルギーは小さい。同じ軌道の大きさの場合、電気のエネルギーは磁気のエネルギーの６．８２×１０１５倍である。引力も６．８２×１０１５倍である。このことによって、磁束密度は電束密度の７．９６×１０７倍となる。このことによって、起電力は起磁力の７．９６×１０７倍になる。抵抗とはラブとラブの周囲の光子の回転の進行を、クロス回転する光子が妨げとなる現象である。
【発明の実施態様】
【０００５】１  光子には２種類ある。１つは電気の光子であり、１つは磁気の光子である。
２  電気の発生原理。図１。
電気はラブ及び周囲の光子が回転することによってできる。光子はラブの軌道（＝原子の軌道）を回転し、電気と成っている。この光子を電気の光子と名づける。即ち、ラブの周囲を回転する光子＝電気の光子である。原子の軌道エネルギーは電気の軌道エネルギーである。今まで、本発明者が原子の軌道エネルギーを求めてきた。そのエネルギーは電気エネルギーである。
電気エネルギー＝０．７５×１０−２５Ｊ÷軌道  である。
例えば、電子のラブの周囲の光子が１０−１１ｍの軌道を回転しているとすると、その電気エネルギーは、
電気エネルギー＝０．７５×１０−２５Ｊ÷１０−１１ｍ＝０．７５×１０−１４Ｊ  である。
例えば、核子のラブの周囲の光子が１０−１５ｍの軌道を回転しているとすると、その電気エネルギーは、
電気エネルギー＝０．７５×１０−２５Ｊ÷１０−１５ｍ＝０．７５×１０−１０Ｊ  である。
３  磁気の発生原理。図２。
磁気は光子がクロス回転することによってできる。クロス回転とは、光子たちがラブの回転の垂直方向内側に入り込み回転することである。クロス回転する光子は磁気を持っている。この光子を磁気の光子と名づける。即ち、クロス回転する光子＝磁気の光子である。クロス回転の軌道は光子の軌道であり、軌道エネルギーは磁気エネルギーである。
磁気エネルギー＝１．１×１０−４１Ｊ÷軌道  である。
例えば、電子のクロス回転する光子が１０−１１ｍの軌道を回転しているとすると、その磁気エネルギーは、
磁気エネルギー＝１．１×１０−４１Ｊ÷１０−１１ｍ＝１．１×１０−３０Ｊ  である。
例えば、核子のクロス回転する光子が１０−１５ｍの軌道を回転しているとすると、その磁気エネルギーは、
磁気エネルギー＝１．１×１０−４１Ｊ÷１０−１５ｍ＝１．１×１０−２６Ｊ  である。
４  核子が偶数の場合、電子が偶数の場合、磁力は０になる原理。図３。
磁気エネルギーはクロス回転する光子たちである。光子たちを光子団と名づける。
ラブは偶数で、光子団はその周囲をクロス回転する。そうすると、向き合う光子団の回転方向は反対方向になる。それで、光子量は等しく、回転方向が逆なので、磁力は相殺する。磁力は０になる。
５  電子が流れるとき、電気（＝電気の光子）を発生する原理。図４。
電子のラブの周囲の光子たちは電気の光子である。電子が光速で移動するとき、電線の原子を避けてカーブする。その時、外側の光子は排斥され、放出する。放出した光子が電気の光子であり、電気である。
６  電界と磁界の発生原理。図５。
電界はラブの周囲の最も外側の光子が排斥し、放出した電気の光子である。
磁界はクロス回転する最も外側の光子が排斥し、放出した磁気の光子である。
７  電界と磁界の進む方向の原理。図６。
ラブと周囲の光子の回転から外側の電気の光子は放出し、ラブの回転方向に進む。
電気の光子は電界となる。それで、電界はラブの回転方向に進む。
クロス回転から磁気の光子は放出し、クロス回転の方向に進む。磁気の光子は磁界と成る。クロス回転はラブの回転に垂直である。それで、磁界は電界に垂直の方向に進む。
８  電界と磁界の進み方の原理。図７。
電気の光子と磁気の光子は回転しながら進む。回転しながら進む場合、まず半回転して進む。次の半回転は進む方向に半回転する。それで、半回転しながら進む。
電気の光子はラブの周囲から放出した軌道で半回転しながら進む。
磁気の光子はクロス回転から放出した軌道で半回転しながら進む。
それで、電子の光子の半回転と、磁気の光子の半回転が同じ大きさであるなら、放出した軌道の大きさは同じ大きさである。
９  電束密度と磁束密度の原理。図８。
ラブの周囲の光子が排斥し放出する。その放出した電気の光子の数の密度が電束密度である。
クロス回転する光子が排斥し放出する。その放出した磁気の光子の数の密度が磁束密度である。
電束密度とはラブの周囲の光子がどれ位放出するかである。
磁束密度とはクロス回転する磁気の光子がどれ位放出するかである。
１０  電束密度と磁束密度が異なる原理。図９。
ラブの周囲の光子はラブの引力に強く引かれるので、放出し難い。
クロス回転する光子はラブから離れているので引力が少なく、離れやすい。
ラブの周囲の光子の引力は、原子の軌道の引力であるから、
電気の光子の引力＝１０．４×１０−５３Ｎ×ｎ÷軌道  （ｎは核子数）である。
クロス回転する光子の引力は、光子の軌道の引力であるから、
磁気の光子の引力＝１．５２５×１０−６８Ｎ÷軌道  である。
電子の光子の軌道と磁気の光子の軌道は等しいから電気の光子の引力は磁気の光子の引力の約６．８２×１０１５倍である。
ラブの周囲の電気の光子の引力は大きいので離れにくい。それで、電束密度は小さい。
クロス回転の磁気の光子の引力は小さいので離れやすい。それで、磁束密度は大きい。
１１  電束密度及び磁束密度と軌道引力の関係（原理）。図１０。
磁束密度は電束密度の約７．９６×１０７倍である。
磁気の光子の引力は電気の光子の引力の６．８２×１０１５分の１である。
磁束密度は引力の約引力１／２分の１である。
磁気密度＝１／１／（６．８２×１０１５）１／２＝（６．８２×１０１５）１／２＝８．２５×１０７
電束密度は引力の約引力１／２分の１である。
電気密度＝１／１１／２＝１
光子の放出は光子の軌道の  １／引力１／２    に比例する。
電束密度及び磁束密度は、光子の放出する軌道の  １／引力１／２に比例する。
１２  核子から放出する電束密度と磁束密度。図１１。
核子のラブの軌道を０．５×１０−１５ｍとし、電子のラブの軌道を０．５×１０−１１ｍとする。
軌道の引力は、軌道の大きさに反比例するから、
核子のラブの軌道の引力：電子の軌道の引力＝１／（０．５×１０−１５）：１／（０．５×１０−１１）＝１０４：１
それで、核子の電束密度：電子の電束密度＝１／１０４×１／２：１＝１：１０２
核子の電束密度は電子の電束密度の１００分の１である。
核子のラブの軌道から放出する電気の光子は、電子のラブの軌道から放出する電気の光子の１００分の１である。
核子のクロス回転する光子の軌道も０．５×１０−１５ｍで、電子のクロス回転する軌道も０．５×１０−１１ｍである。
核子のクロス回転する軌道の引力：電子のクロス回転する軌道の引力＝１０４：１
それで、核子の磁束密度：電子の磁束密度＝１／１０４×１／２：１＝１：１０２
核子の磁束密度は電子の磁束密度の１００分の１である。
核子の電束密度を０．０１とすると、電子の電束密度は１で、核子の磁束密度は７．９６×１０５で、電子の磁束密度は７．９６×１０７である。
１３  電界／磁界＝起電力／起磁力はどういうことか。図１２。
起電力とは電束密度×電気の光子１個の軌道エネルギーである。
起磁力とは磁束密度×磁気の光子１個の軌道エネルギーである。
それで、電界／磁界＝起電力／起磁力＝（電束密度×電気の光子１個の軌道エネルギー）÷（磁束密度×磁気の光子１個の軌道エネルギー）＝（電束密度×０．７５×１０−２５Ｊ÷軌道）÷（磁束密度×１．１×１０−４１Ｊ÷軌道）＝電束密度÷磁束密度×６．８２×１０１５＝４π／１０９×６．８２×１０１５＝８．５７×１０７
電界／磁界＝起電力／起磁力＝１０９／４π＝７．９６×１０７
７．９６×１０７と８．５７×１０７はやや等しい。
又次のようにも考えられる。
電気の光子のエネルギーは磁気の光子のエネルギーの６．８２×１０１５倍である。
電気の光子の引力は磁気の光子の引力の６．８２×１０１５倍である。
よって、起電力＝電束密度×電気の光子１個の軌道エネルギー＝１／（引力）１／２×電気の光子１個の軌道エネルギー＝１／（６．８２×１０１５）１／２×６．８２×１０１５＝８．２６×１０７
起磁力＝磁束密度×磁気の光子１個の軌道エネルギー＝１／１１／２×１＝１
それで、起電力／起磁力＝８．２６×１０７である。
１４  抵抗とは何か。抵抗の原理。図１３。
抵抗は何であるか。抵抗は、電子の中のラブ及び光子の回転が進行方向に縦回転して進むとき、クロス回転する光子たちは横回転しながら進むことによって生じる。クロス回転はラブ及び光子の回転しながら進む力（エネルギー）を阻止する力（エネルギー）となる。進むとき、クロス回転する磁気のエネルギーはラブと周囲の光子の回転する電気のエネルギーを阻止する。磁気エネルギーは電気エネルギーを阻止する。電気エネルギーは磁気エネルギーによって阻止される。電気の光子の回転エネルギーは磁気の光子の回転エネルギーによって阻止される。これが抵抗である。
これを式によって説明する。
Ω＝起電力÷起磁力×４π＝（電束密度×電気の光子１個のエネルギー）÷（磁束密度×磁気の光子１個のエネルギー）×４π＝（電気の光子の数×電気の光子１個のエネルギー）÷（磁気の光子の数×磁気の光子１個のエネルギー）×４π＝（電気の光子の数×２π×電気の光子１個のエネルギー）÷（磁気の光子の数×２π×磁気の光子１個のエネルギー）＝（電気の光子の回転数×電気の光子１個のエネルギー）÷（磁気の光子の回転数×磁気の光子１個のエネルギー）＝電気の光子たちの回転エネルギー÷磁気の光子たちの回転エネルギー
即ち、抵抗とはラブ及び光子たちの回転エネルギーに対するクロス回転する光子たちの回転エネルギーである。抵抗とは電気の光子たちの回転エネルギーに対する磁気の光子たちの回転エネルギーである。
４π＝２π×２の意味は（電気の光子数×２π）と（磁気の光子数×２π）の事で２πを２回使うという意味である。
【発明の効果】
【０００６】  本発明によって電気と磁気ができる根源を解明できた。原子の中で、電子の数が偶数の場合、又核子の数が偶数の場合どうして磁力が０になるのか解明できた。
電子が流れて電気ができることの解明ができた。電界と磁界がどのようにできるか解明できた。電界と磁界が垂直に進む理由を解明できた。磁束密度が電束密度の７．９６×１０７倍である理由が解明できた。電束密度及び磁束密度が引力の１／引力１／２である事が理解できた。核子の磁束密度と磁束密度が少ない理由を軌道の引力によって理解できた。起電力と起磁力ができる理由を理解できた。抵抗とは何かを式によって理解できた。これらの事によって、電子はラブと光子の回転と、その周囲をクロス回転する光子たちでできていることを証明できた。陽子も中性子もラブと光子の回転と、その周囲をクロス回転する光子でできていることを証明できた。
【図面の簡単な説明】
【図１】  ラブの周囲の光子は電気の光子である。電気エネルギー＝０．７５×１０−２５Ｊ÷軌道。
【図２】  クロス回転する光子は磁気の光子である。磁気エネルギー＝１．１×１０−４１Ｊ÷軌道。
【図３】  向き合う光子団の回転方向は逆となる。
【図４】  電子のラブの周囲の光子たちが、原子を避けてカーブする時、外側を回転する電子の光子は排斥されて外に放出する。この放出した電気の光子は電気である。
【図５】  最も外側の電気の光子が排斥し、放出し、電界となる。最も外側の磁気の光子が排斥し、放出し、磁界となる。
【図６】  電界の進む方向はラブの回転する方向である。磁界の進む方向はクロス回転する方向である。
【図７】  電気の光子が進むとき半円を描きながら進む。磁気の光子が進むとき半円を描きながら進む。電気の光子の軌道（＝半円）と磁気の光子の軌道（＝半円）が同じ大きさであるならば、排斥したときの電気の光子の軌道と磁気の光子の軌道の大きさは同じである。電気の光子の回転と磁気の光子の回転は垂直であるので、電界と磁界は垂直である。
【図８】  ラブと光子の回転から放出した電気の光子の数の密度は電束密度である。クロス回転から放出した磁気の光子の数の密度は磁束密度である。
【図９】  ラブの周囲の光子の引力はクロス回転する光子の引力の６．８２×１０１５倍であるので、電気の光子は放出され難く、電束密度は小さい。電気の光子の引力＝１０．４×１０−５３Ｎ÷軌道。磁気の光子の引力＝１．５２５×１０−６８Ｎ÷軌道。
【図１０】  ラブの周囲の光子の引力を６．８２×１０１５とすると、クロス回転する光子の引力は１である。それで、電束密度は１÷（６．８２×１０１５）＝１／８．２５×１０７である。磁束密度は１である。それで、電束密度：磁束密度＝１：８．２５×１０７である。
【図１１】  核子のラブと光子の軌道を０．５×１０−１５とし、電子のラブと光子の軌道を０．５×１０−１１ｍとすると、引力は１０４：１であり、電束密度は１：１０２である。核子のクロス回転の軌道を０．５×１０−１５ｍとし、電子のクロス回転の軌道を０．５×１０−１１ｍとすると、引力は１０４：１であり、磁束密度は１：１０２である。
【図１２】  起電力＝電束密度×電気の光子１個の軌道エネルギー。起磁力＝磁束密度×磁気の光子１個の軌道エネルギー。電気エネルギーは磁気エネルギーの６．８２×１０１５倍。電気の引力は磁気の引力の６．８２×１０１５倍。よって、起電力＝１／（６．８２×１０１５）１／２×６．８２×１０１５＝８．２５×１０７起磁力＝１／１１／２×１＝１      それで、起電力／起磁力＝８．２５×１０７である。
【図１３】  縦回転で進むとき、横回転は進行を阻止する力となる。抵抗は縦回転エネルギーに対する横回転エネルギーである。抵抗は電気エネルギーに対する磁気エネルギーである。
【符号の説明】
１  ラブ      ２  ラブの周囲の光子      ３  電気の光子
４  クロス回転する光子      ５  磁気の光子      ６  向き合う光子団
７  電子のラブ      ８  電子のラブの周囲の光子たち      ９  原子
１０  外側の電気の光子      １１  電気      １２  最も外側の電気の光子
１３  放出した最も外側の電気の光子      １４  最も外側の磁気の光子
１５  放出した最も外側の磁気の光子      １６  電界      １７  磁界
１８  電界の軌道      １９  磁界の軌道
２０  放出した電気の光子の密度＝電束密度
２１  放出した磁気の光子の密度＝磁束密度      ２２  核子のラブ
２３  縦回転      ２４  横回転
【図１】
2004166496.tif 000003
【図２】
2004166496.tif 000004
【図３】
2004166496.tif 000005
【図４】
2004166496.tif 000006
【図５】
2004166496.tif 000007
【図６】
2004166496.tif 000008
【図７】
2004166496.tif 000009
【図８】
2004166496.tif 000010
【図９】
2004166496.tif 000011
【図１０】
2004166496.tif 000012
【図１１】
2004166496.tif 000013
【図１２】
2004166496.tif 000014
【図１３】
2004166496.tif 000015